(57)【要約】【課題】ヘルメットに救護の際に役立つ個人情報を記載して、必要となるまで秘匿にできるようにする。【解決手段】ネームシール１は、ヘルメット５の側面や背面に貼付けられるネームシール本体２と、その上に貼付けられて引剥がし可能であるカバーシール３とを備えて構成される。ネームシール本体２には、氏名、顔写真、血液型、病歴、常用薬、緊急連絡先などを記載し、氏名および顔写真は露出するようにし、他の個人情報の上にはカバーシール３を貼付けておく。そのカバーシール３には、使用者の緊急時に、該カバーシール３の引剥がしを促す注意書きを付しておく。したがって、図１（ａ）の通常使用時は個人情報を秘匿して、公共交通機関での移動などに支障が無く、図１（ｂ）の緊急時にはカバーシール３を引き剥がすことで、前記個人情報が確認可能になる。【選択図】図１
2016204765.tif 000002
【特許請求の範囲】
【請求項１】
ヘルメットに固着され、その表面には、該ヘルメットの使用者の名前を含む該使用者に関連する情報が記載されるネームシール本体と、
前記情報の少なくとも一部を秘匿にするために、前記ネームシール本体上に貼付けられて、引剥がし可能であるカバーシールとを含み、
前記カバーシールの表面には、前記使用者の緊急時に、該カバーシールの引剥がしを促す注意書きが付されていることを特徴とするヘルメット用ネームシール。
【請求項２】
前記ネームシール本体およびカバーシールは、相互に略等しい幅の帯状に形成され、前記カバーシールの少なくとも一部の隅角部が切欠かれていることを特徴とする請求項１記載のヘルメット用ネームシール。
【請求項３】
前記カバーシールは、前記使用者の名前が記載されている領域上はカバーしておらず、前記名前が露出していることを特徴とする請求項１または２記載のヘルメット用ネームシール。
【請求項４】
前記使用者の名前に近接して顔写真が掲載され、露出していることを特徴とする請求項３記載のヘルメット用ネームシール。
【請求項５】
前記使用者に関連する情報は、血液型を含むことを特徴とする請求項１〜４の何れか１項に記載のヘルメット用ネームシール。
【請求項６】
前記使用者に関連する情報は、病歴、常用薬、アレルギー物質、緊急連絡先の少なくとも１つであることを特徴とする請求項１〜５の何れか１項に記載のヘルメット用ネームシール。
【請求項７】
前記ネームシール本体およびカバーシールの基材は、オレフィン系または塩ビ系のフィルムから成ることを特徴とする請求項１〜６の何れか１項に記載のヘルメット用ネームシール。
【請求項８】
前記ネームシール本体およびカバーシールは、その表面に、それぞれ前記使用者に関連する情報および注意書きが印刷されるベース層と、そのベース層を保護するラミネート層との２層構造であり、その２層の基材は前記オレフィン系または塩ビ系のフィルムから成り、印刷された２層の基材間は溶剤性強粘着の糊で接着され、前記ネームシール本体とカバーシールとの間は再剥離強粘着で接着されることを特徴とする請求項７記載のヘルメット用ネームシール。
【請求項９】
請求項１〜８の何れか１項に記載のヘルメット用ネームシールが貼付けられたヘルメット。
【発明の詳細な説明】
【技術分野】
【０００１】
本発明は、ヘルメットに貼付けられるネームシールおよびそれが貼付けられたヘルメットに関する。
【背景技術】
【０００２】
使用者の頭部を保護するヘルメットは、安全上重要な用具であり、観光用や来客用などの不特定の使用者が使用する場合を除き、多くは特定の使用者によって管理される。しかしながら、作業詰所などで、複数のヘルメットが並べて保管される場合、取違えも発生し易く、前記使用者の氏名が記載されることが多い。そのため、現状では、たとえば十字の安全マークと、その横に枠が印刷され、その枠内に前記氏名を油性ペンなどで書き込むようになっている。また、特許文献１には、ヘルメットにＩＤカードのカードホルダを設けて、入退室などを管理するようにもなっている。
【先行技術文献】
【特許文献】
【０００３】
【特許文献１】特開２００８−２６６８５８号公報
【発明の概要】
【発明が解決しようとする課題】
【０００４】
危険な状況で使用されることの多いヘルメットには、前記氏名以外にも、血液型や緊急連絡先などの情報を記載しておくことは、救護の処置を行うのに有効である。しかしながら、これらの情報は個人情報であり、むやみに明らかにする必要は無く、たとえば、ヘルメットを被った使用者が公共交通機関を利用して移動するような場合、秘匿にすることが望ましい。また、これらの情報は、その救護の処置まで不要なことも多い。特許文献１は、ＩＤカードであるので、多くの情報を秘匿にして格納しておくことも可能である。しかしながら、事故などの際に、専用のリーダーが無いと、情報を読取ることができない。
【０００５】
本発明の目的は、救護処置の必要な状況などで重要となる情報を、必要となるまで秘匿にしておくことができるヘルメット用ネームシールおよびそれを用いるヘルメットを提供することである。
【課題を解決するための手段】
【０００６】
本発明のヘルメット用ネームシールは、ヘルメットに固着され、その表面には、該ヘルメットの使用者の名前を含む該使用者に関連する情報が記載されるネームシール本体と、前記情報の少なくとも一部を秘匿にするために、前記ネームシール本体上に貼付けられて、引剥がし可能であるカバーシールとを含み、前記カバーシールの表面には、前記使用者の緊急時に、該カバーシールの引剥がしを促す注意書きが付されていることを特徴とする。
【０００７】
上記の構成によれば、ヘルメットの使用者を識別するために、該ヘルメットに固着されるネームシールにおいて、表面に前記使用者の名前（姓名の両方或いは一方でも可）を含む該使用者に関連する情報が記載されるネームシール本体と、そのネームシール本体上に貼付けられるカバーシールとの２層構造とする。そして、カバーシールはネームシール本体から引剥がし可能であり、その表面には、使用者の緊急時に、該カバーシールの引剥がしを促す注意書きが付されている。
【０００８】
したがって、該ヘルメットの使用者が倒れたり、怪我を負うなどした場合に、周囲の人が、或いは該ヘルメットの使用者自身が、カバーシールを剥がすことで、カバーシールによって秘匿にされていた使用者の個人情報などを確認することができ、救護処置や関係者への連絡などに適切に対応することができる。
【０００９】
また、本発明のヘルメット用ネームシールでは、前記ネームシール本体およびカバーシールは、相互に略等しい幅の帯状に形成され、前記カバーシールの少なくとも一部の隅角部が切欠かれていることを特徴とする。
【００１０】
上記の構成によれば、切欠きの部分が段差となって、爪を引掛け易くなる。
【００１１】
したがって、前記緊急時における該カバーシールの引剥がしを、容易かつ速やかに行うことができる。
【００１２】
さらにまた、本発明のヘルメット用ネームシールでは、前記カバーシールは、前記使用者の名前が記載されている領域上はカバーしておらず、前記名前が露出していることを特徴とする。
【００１３】
上記の構成によれば、ネームシール本体上で、使用者の名前が記載されている領域上にはカバーシールが貼付けられていない。
【００１４】
したがって、使用者は、容易に、自身の物など、目的のヘルメットを探出すことができる。
【００１５】
また、本発明のヘルメット用ネームシールでは、前記使用者の名前に近接して顔写真が掲載され、露出していることを特徴とする。
【００１６】
上記の構成によれば、顔写真から、より一層容易に、目的のヘルメットを探出すことができる。
【００１７】
さらにまた、本発明のヘルメット用ネームシールでは、前記使用者に関連する情報は、血液型を含むことを特徴とする。
【００１８】
上記の構成によれば、血液型は、前記使用者の怪我などの際に、救護に最も有効な情報であり、記載しておくことが好ましい。
【００１９】
また、本発明のヘルメット用ネームシールでは、前記使用者に関連する情報は、病歴、常用薬、アレルギー物質、緊急連絡先の少なくとも１つであることを特徴とする。
【００２０】
上記の構成によれば、病歴（現在罹患している病気や過去に罹患した既往症）の情報は、前記使用者が具合が悪くなった原因を推定するのに特に有効な情報であり、常用薬やアレルギー物質の情報および緊急連絡先の情報は、救護の処置を行うのに有効な情報である。
【００２１】
したがって、これらの情報を記載しておくことで、適切な救護措置を行える可能性が高くなる。
【００２２】
さらにまた、本発明のヘルメット用ネームシールでは、前記ネームシール本体およびカバーシールの基材は、オレフィン系または塩ビ系のフィルムから成ることを特徴とする。
【００２３】
上記の構成によれば、オレフィン系または塩ビ系のフィルムは、伸縮可能であるので、曲面や球状のヘルメットの表面に沿わせることができ、シワ無く貼付けることができる。
【００２４】
また、本発明のヘルメット用ネームシールでは、前記ネームシール本体およびカバーシールは、その表面に、それぞれ前記使用者に関連する情報および注意書きが印刷されるベース層と、そのベース層を保護するラミネート層との２層構造であり、その２層の基材は前記オレフィン系または塩ビ系のフィルムから成り、印刷された２層の基材間は溶剤性強粘着の糊で接着され、前記ネームシール本体とカバーシールとの間は再剥離強粘着で接着されることを特徴とする。
【００２５】
上記の構成によれば、ネームシール本体およびカバーシールは、それぞれのベース層に印刷される前記使用者に関連する情報および注意書きをラミネート層で保護し、そのラミネート層とベース層との間は溶剤性強粘着の糊で強固に接着されるのに対して、ネームシール本体とカバーシールとの間は、再剥離強粘着の糊で、或る程度の繰返し回数での剥離および再粘着可能に接着することができる。
【００２６】
さらにまた、本発明のヘルメットは、前記のヘルメット用ネームシールが貼付けられることを特徴とする。
【００２７】
上記の構成によれば、個人情報の安全性と、緊急時における使用者の安全性との両方を高めることができるヘルメットを実現することができる。
【発明の効果】
【００２８】
本発明のヘルメット用ネームシールおよびそれを用いるヘルメットは、以上のように、ヘルメットの使用者を識別するために、該ヘルメットに固着されるネームシールにおいて、表面に使用者の名前を含む情報が記載されるネームシール本体と、そのネームシール本体上に引剥がし可能に貼付けられるカバーシールとの２層構造とし、カバーシールの表面には、緊急時に、該カバーシールの引剥がしを促す注意書きを付しておく。
【００２９】
それゆえ、該ヘルメットの使用者が倒れたり、怪我を負うなどした場合に、周囲の人が、或いは該ヘルメットの使用者自身が、カバーシールを剥がすことで、カバーシールによって秘匿にされていた使用者の個人情報などを確認することができ、救護処置や関係者への連絡などに適切に対応することができる。
【図面の簡単な説明】
【００３０】
【図１】本発明の実施の一形態に係るヘルメット用ネームシールを貼付けたヘルメットの斜視図である。
【図２】ネームシールの一例を示す正面図であり、前記ヘルメットへの貼付け前の状態を示す。
【図３】ネームシールの一例を示す正面図であり、緊急時に引剥がされるカバーシール部分を示す。
【図４】ネームシールの一例を示す正面図であり、前記カバーシールが引剥がされてヘルメットに残るネームシール本体部分を示す。
【図５】前記ネームシールの断面構造を示す図である。
【図６】前記ネームシールの製造工程を模式的に示す図である。
【発明を実施するための形態】
【００３１】
図１は、本発明の実施の一形態に係るヘルメット用ネームシール（以下、単にネームシールと言う）１を貼付けたヘルメット５の斜視図である。このネームシール１は、ヘルメット５の使用者を識別するために、ヘルメット５の側面や背面（図１の例ではヘルメット５の右側面）などに固着して使用される。このネームシール１は、ネームシール本体２と、そのネームシール本体２上に貼付けられて、引剥がし可能であるカバーシール３とを備えて構成される。図１（ａ）は通常使用時でカバーシール３を着けた状態、図１（ｂ）は緊急時などでカバーシール３を引き剥がした状態である。
【００３２】
ネームシール本体２は、ヘルメット５に固着され、その表面には、図１（ｂ）で示すような、該ヘルメット５の使用者の名前を含む該使用者に関連する情報が記載される。カバーシール３は、前記情報の少なくとも一部を秘匿にするために、ネームシール本体２上に貼付けられる。カバーシール３は、１度剥がされたら、再粘着不可能なものでも、或いは可能なものでも、何れであってもよく、用途や記載される情報などに応じて決定されればよい。カバーシール３の表面には、図１（ａ）で示すような、使用者の緊急時に、該カバーシール３の引剥がしを促す注意書きが付されている。
【００３３】
図２〜図４は、ネームシール１の一例を示す正面図である。図２は、ネームシール１の３つの態様を、（ａ），（ｂ），（ｃ）で示しており、それぞれのネームシールを参照符号１ａ，１ｂ，１ｃで示している（以下、総称するときには参照符号１で示す）。図４は、ネームシール本体２のみを示すもので、本実施形態では、各ネームシール１ａ，１ｂ，１ｃ間で、このネームシール本体２が共通で、図３で示すカバーシール３ａ，３ｂ，３ｃ（以下、総称するときには参照符号３で示す）の形状の異なる点が相違している。図１（ａ）は、カバーシール３ａを備えるネームシール１ａを、ヘルメット５に貼付けた例を示している。
【００３４】
図４を参照して、ネームシール本体２は、横長の帯状に形成され、使用者に関連する情報として、向かって左側の下段に使用者の名前２１（姓名の両方或いは一方でも可）が記載され、上段に写真２２が掲載されており、図１で示すように、これらの部分は、カバーシール３が被せられず、外部に露出し、使用者などが確認可能となっている。ネームシール本体２の略中央寄りから、右側の部分には、上段に枠２３が、下段に枠２４が形成され、それらの部分にはカバーシール３が被せられることになる。枠２３には、使用者の血液型２３１、生年月日２３２、病歴２３３、常用薬２３４、アレルギー物質２３５などが記載されている。枠２４には、使用者の緊急連絡先の電話番号２４１およびその電話番号２４１の相手先と使用者との関係（図４の例では、父親の姓名）が記載されている。
【００３５】
図２で示す使用前の状態では、ネームシール本体２の裏側には、剥離紙４が貼付けられている。その剥離紙４よりもネームシール１は１周り小さく型抜きされており、したがって該ネームシール１は、いずれの周縁部からでも、剥離紙４から剥離可能となっている。
【００３６】
カバーシール３は、ネームシール本体２と略同じ幅の帯状に形成され、ネームシール本体２より短く形成されることで、前述のように、使用者の名前２１および写真２２の部分が外部に露出する。この名前２１および写真２２の部分にも、透明なカバーシールが被せられてもよく、その場合には、カバーシール３に透明なフィルムが用いられ、後述の印刷工程において、その部分にインクが塗布されなければよい。また、名前２１および写真２２の部分が、ネームシール１の中央に設けられる場合などでは、カバーシール３におけるその部分に窓が型抜きされて、露出するように形成されていてもよい。
【００３７】
図２および図３の例では、カバーシール３ａ，３ｂ，３ｃは、前記名前２１および写真２２の部分に臨む左端３１側は垂直に切断（型抜き）されており、右端３２側の切断（型抜き）の形状が異なる。具体的には、図２（ａ）および図３（ａ）に示すカバーシール３ａの右端３２は円弧状の切欠き３３に形成され、図２（ｂ）および図３（ｂ）に示すカバーシール３ｂの右端３２は上下２箇所に３角形の切欠き３４に形成され、図２（ｃ）および図３（ｃ）に示すカバーシール３ｃの右端３２は垂直の切欠き３５に形成されている。カバーシール３の左端３１と右端３２との何れに切欠き３３〜３５を形成するかは、ネームシール１がヘルメット５の左右の何れの側面に貼付けられるのか等に応じて、決定されればよい。
【００３８】
そして、カバーシール３には、使用者の緊急時に、引剥がしを促す注意書き３６が付されている。図１〜図３の例では、前記注意書き３６が上段に、下段には連絡先３７が記載されている。図１〜図３の例では、注意書き３６としては、前記引剥がしを促す文言と、下層のネームシール本体２に、救護処置などに役立てることができる情報が記載されていることを案内する文言とが示されている。連絡先３７としては、社名、電話番号および緊急時対応の担当者名などである。
【００３９】
図５は、ネームシール１の断面構造を示す図である。図５は、ヘルメット５への貼付け前の状態を示す。上述のように、このネームシール１は、大略的に、ネームシール本体２上に、引剥がし可能にカバーシール３が貼付けられて構成される。ネームシール本体２およびカバーシール３は、共に２層構造で、ベース層２８，３８上に印刷層２０，３０が形成され、その印刷層２０，３０を保護するために、ラミネート層２９，３９が積層されている。ベース層２８，３８およびラミネート層２９，３９は、基材であるフィルム層２８１，２９１；３８１，３９１に、接着剤層２８２，２９２；３８２，３９２が積層されて構成されている。
【００４０】
たとえば、前記フィルム層２８１，２９１；３８１，３９１はオレフィン系または塩ビ系のフィルムから成り、接着剤層２８２，２９２，３９２は溶剤性強粘着から成り、接着剤層３８２は再剥離強粘着から成る。具体的には、ベース層２８は、マルウ接着株式会社製、品名：ポビック白＃１００溶剤性強粘着（オレフィン系）、またはそれ相当の材質から成る。ラミネート層２９，３９は、マルウ接着株式会社製、品名：ポビック透明＃１００溶剤性強粘着、またはそれ相当の材質から成る。一方、ベース層３８は、マルウ接着株式会社製、品名：ポビック白＃１００リタックＨ（再剥離強粘着）、またはそれ相当の材質から成る。こうして、フィルム層２８１，２９１間、フィルム層３８１，３９１間、およびフィルム層２８１とヘルメット５との間は強固に接着し、フィルム層２９１，３８１間は剥離再粘着可能となる。
【００４１】
なお、作成時には、各フィルム層２８１，２９１；３８１，３９１には、接着剤層２８２，２９２；３８２，３９２が塗布され、さらに剥離紙が貼付けられている。後述のネームシール１の作成工程で、フィルム層２９１，３８１，３９１については、その剥離紙が剥がされ、フィルム層２８１についての剥離層だけが残り、剥離紙４となる。
【００４２】
図６は、ネームシール１の製造工程を模式的に示す図である。工程１として、ベース層２８となるロール状のポビック白＃１００溶剤性強粘着に、たとえばセイコーエプソン株式会社製のＳＵＲＥＰＲＥＳＳ等のデジタル印刷機９１を使って、図４で示すような、各個人の可変情報データ（情報）を順次印刷し、ロール状に巻取ってゆく。デジタル印刷機９１は、１枚ずつ違うラベル、すなわち各個人の名前を入れたネームシール１を作成することができるものである。工程２として、たとえば岩崎鉄工株式会社製のＨＤ等のロール印刷機９２を使って、前記ベース層２８に、ラミネート層２９となるポビック透明＃１００溶剤性強粘着を貼合せてゆく。こうして、ネームシール本体２が完成する。
【００４３】
工程３として、工程２と同様の岩崎鉄工株式会社製のＨＤ等のロール印刷機９２を使って、ネームシール本体２に、ベース層３８となるポビック白＃１００リタックＨ（再剥離強粘着）を貼合せし、巻取ってゆく。工程４として、たとえば三起機械株式会社製のＳＭＰ−３００等のロール印刷機９３を使って、図３で示すカバーシール３の固定内容を、前記ベース層３８上に、印刷部９３１で印刷し、さらにラミネート層３９となるポビック透明＃１００溶剤性強粘着を貼合せして、型抜き部９３２において、上側のカバーシール３の２つの層３８，３９部分を型抜きし、巻取ってゆく。型抜きされたカバーシール３の周囲の枠部分は、カス９４として巻取られてゆく。
【００４４】
工程５として、前記岩崎鉄工株式会社製のＨＤ等のロール印刷機（後加工機）９２を使って、剥離紙４を除く、ネームシール本体２の２つの層２８，２９部分に抜き（トムソン）を入れる。こうして、剥離紙４に載ったロール状で、ネームシール１が完成する。型抜きされたネームシール本体２の周囲の枠部分は、カス９５として巻取られてゆく。工程６として、ロール状のネームシール１が、カッター機９６を用いて、剥離紙４の部分が個別に切離される。
【００４５】
なお、工程１から工程５までは、全てロール紙からの作業となり、工程４、工程５での抜き（トムソン）を入れた時に、不要な部分のラベルをカス９４，９５として同時に剥離（カス上げ）するが、最初のカバーシール３の不要部分をカス上げする場合、剥離ニスを印刷してからカス上げしたり、作業者がゆっくりと手で引張り上げながらカス上げすることが好ましい。
【００４６】
図６の工程は、上述のように全てロール紙からの作業で、比較的大量（数百以上）のネームシール１の作成に適している。少量作成の場合は、カバーシール３の固定内容も逐次可変情報として印刷して、作業者などによって、ネームシール本体２上に重合わせるようにしてもよい。その場合には、カバーシール３の幅がネームシール本体２の幅よりも僅かに狭く形成されることで、前記の重合わせを行い易い。
【００４７】
このように作成することで、ヘルメット５の使用者が倒れたり、怪我を負うなどした場合に、周囲の人が、或いは該ヘルメット５の使用者自身が、カバーシール３を剥がすことで、ネームシール本体２に記載され、カバーシール３によって秘匿にされていた使用者の個人情報などを確認することができ、救護処置や関係者への連絡などに適切に対応することができる。また、個人情報の安全性と、緊急時における使用者の安全性との両方を高めることができるヘルメット５を実現することができる。
【００４８】
また、ネームシール本体２およびカバーシール３が、相互に略等しい幅の帯状に形成され、カバーシール３の少なくとも一部の隅角部に切欠き３３〜３５が形成されることで、その切欠き３３〜３５の部分が段差となって、爪を引掛け易くなる。これによって、緊急時における該カバーシール３の引剥がしを、容易かつ速やかに行うことができる。なお、切欠き３３〜３５に代えて、ベロの貼付けなどが行われてもよい。
【００４９】
さらにまた、ネームシール本体２上で、使用者の名前２１が記載されている領域上にはカバーシール３が貼付けられていないので、使用者は、容易に、自身の物など、目的のヘルメット５を探出すことができる。また、使用者の名前２１に近接して顔写真２２が掲載され、露出しているので、使用者は、顔写真２２から、より一層容易に、目的のヘルメットを探出すことができる。
【００５０】
さらにまた、使用者に関連する情報として、血液型２３１を記載しておくので、該血液型２３１は、使用者の怪我などの際に、救護に最も有効な情報であり、好適である。また、その血液型２３１以外にも、使用者に関連する情報として、病歴（現在罹患している病気や過去に罹患した既往症）２３３の情報は、使用者が具合が悪くなった原因を推定するのに特に有効な情報であり、常用薬２３４やアレルギー物質２３５の情報および緊急連絡先の情報２４１は、救護の処置を行うのに有効な情報であり、これらの情報を記載しておくことで、適切な救護措置を行える可能性が高くなる。
【００５１】
さらにまた、ネームシール本体２およびカバーシール３において、基材となるフィルム層２８１，２９１；３８１，３９１は、オレフィン系または塩ビ系のフィルムから成り、それらの材料は伸縮可能であるので、曲面や球状のヘルメット５の表面に沿わせることができ、シワ無く貼付けることができる。
【００５２】
さらに、ネームシール本体２およびカバーシール３は、それぞれのベース層２８，３８に印刷される使用者に関連する情報および注意書きをラミネート層２９，３９で保護し、そのラミネート層２９，３９とベース層２８，３８との間は溶剤性強粘着の接着剤層２９２，３９２で強固に接着されるのに対して、ネームシール本体２とカバーシール３との間は、再剥離強粘着の接着剤層３８２で接着されるので、或る程度の繰返し回数での剥離および再粘着可能に接着することができる。
【符号の説明】
【００５３】
１；１ａ，１ｂ，１ｃ    ヘルメット用ネームシール
２    ネームシール本体
２０，３０    印刷層
２１    使用者の名前
２２    使用者の写真
２３，２４    枠
２３１  血液型
２３２  生年月日
２３３  病歴
２３４  常用薬
２３５  アレルギー物質
２４１  電話番号
２４２  電話番号の相手先
２８，３８    ベース層
２８１，２９１；３８１，３９１    フィルム層
２８２，２９２；３８２，３９２    接着剤層
２９，３９    ラミネート層
３；３ａ，３ｂ，３ｃ    カバーシール
３３〜３５    切欠き
３６    注意書き
３７    連絡先
４    剥離紙
５    ヘルメット
９１    デジタル印刷機
９２，９３    ロール印刷機
９４，９５    カス
９６    カッター機
【図４】
2016204765.tif 000003
【図５】
2016204765.tif 000004
【図６】
2016204765.tif 000005
【図１】
2016204765.tif 000006
【図２】
2016204765.tif 000007
【図３】
2016204765.tif 000008